(57)【要約】自動車車体およびその製造方法において、上部骨格（７３）のフロントルーフアーチ（２８）およびルーフサイドレール（１６）の前部と、下部骨格（７４）のダッシュパネルアッパー（３８）とにより略矩形のフロントガラス接着面（２５）が構成される。上部骨格と下部骨格とは分離可能であるため、上部骨格のルーフサイドレール（１６）の下端と、下部骨格のダッシュパネルアッパーの車幅方向外端との間に隙間が発生してフロントガラス接着面が途切れる問題があるが、上部骨格のルーフサイドレールの下端から車幅方向内向きに延長部（２４）を突設し、これらの延長部の車幅方向内端をダッシュパネルアッパーの車幅方向外端に接続する。これにより、延長部のフロントガラス接着面（２４ｇ）でフロントガラス接着面の途切れを解消し、フロントガラス（３９）を全周に亙って接着することができる。
2016042858.tif 000002
【特許請求の範囲】
【請求項１】
ＣＦＲＰでバスタブ状に形成されて少なくともダッシュパネルアッパー（３８）を備える下部骨格（７４）と、少なくともフロントルーフアーチ（２８）および左右一対のルーフサイドレール（１６）を備える上部骨格（７３）とを相互に分離可能に構成し、前記ダッシュパネルアッパー（３８）と、前記左右一対のルーフサイドレール（１６）と、前記フロントルーフアーチ（２８）とに跨がってフロントガラス（３９）を支持する矩形状のフロントガラス接着面（２５）を形成した自動車車体であって、
前記左右一対のルーフサイドレール（１６）の下端に車幅方向内側に延びて前記ダッシュパネルアッパー（３８）の車幅方向外端に接続する左右一対の延長部（２４）を設け、前記左右一対の延長部（２４）に前記フロントガラス（３９）の一部を支持するフロントガラス接着面（２４ｇ）を形成したことを特徴とする自動車車体。
【請求項２】
前記延長部（２４）は、車幅方向に延びる第１部分（ａ）および前後方向に延びる第２部分（ｂ）を有して前記フロントガラス（３９）と平行に配置されるＬ字状の第１壁面（２４ａ）と、前記第１壁面（２４ａ）の前記第１部分（ａ）から下向きに延びる第２壁面（２４ｂ）と、前記第１壁面（２４ａ）の前記第２部分（ｂ）から下向きに延びる第３壁面（２４ｃ）とを備え、前記下部骨格（７４）に設けられて前記ルーフサイドレール（１６）の前端を支持する金属ジョイント（６２）に前記第１壁面（２４ａ）および前記第３壁面（２４ｃ）が固定され、前記第１壁面（２４ａ）に前記フロントガラス（３９）の一部が支持されることを特徴とする、請求項１に記載の自動車車体。
【請求項３】
前記下部骨格（７４）はダッシュパネルロア（１７）を備え、前記ダッシュパネルアッパー（３８）は前記ダッシュパネルロア（１７）の上端に接着され、前記延長部（２４）は前記ダッシュパネルロア（１７）の上端にシール材（２７）を介して当接することを特徴とする、請求項２に記載の自動車車体。
【請求項４】
前記ダッシュパネルアッパー（３８）の車幅方向外端には、下向きに延びる縦壁（３８ｂ）と、前記縦壁（３８ｂ）の下端から車幅方向外側に延びる横壁（３８ｃ）とが形成され、前記延長部（２４）は係止爪（２４ｅ，２４ｆ）を介して前記縦壁（３８ｂ）および前記横壁（３８ｃ）に係合するとともに、シール材（２６）を介して前記縦壁（３８ｂ）に当接することを特徴とする、請求項３に記載の自動車車体。
【請求項５】
前記下部骨格（７４）は前記ダッシュパネルロア（１７）の後面に固定されたフロントピラーロア（１３）を備え、前記金属ジョイント（６２）は、前記ダッシュパネルロア（１７）の前面に設けられた前部金属ブラケット（６４）と、前記フロントピラーロア（１３）の後面に設けられた後部金属ブラケット（６６）とに跨がってボルト（６５，６７）で締結されることを特徴とする、請求項３または請求項４に記載の自動車車体。
【請求項６】
請求項１〜請求項５の何れか１項に記載の自動車車体の製造方法であって、
前記下部骨格（７４）から前記上部骨格（７３）を分離する工程と、分離した前記上部骨格（７３）および前記下部骨格（７４）にそれぞれ部品を組み付ける工程と、部品を組み付け終えた前記上部骨格（７３）および前記下部骨格（７４）を再度ボルト結合する工程とを含むことを特徴とする自動車車体の製造方法。
【発明の詳細な説明】
【技術分野】
【０００１】
本発明は、ＣＦＲＰでバスタブ状に形成されて少なくともダッシュパネルアッパーを備える下部骨格と、少なくともフロントルーフアーチおよび左右一対のルーフサイドレールを備える上部骨格とを相互に分離可能に構成し、前記ダッシュパネルアッパーと、前記左右一対のルーフサイドレールと、前記フロントルーフアーチとに跨がってフロントガラスを支持する矩形状のフロントガラス接着面を形成した自動車車体と、その自動車車体の製造方法とに関する。
【背景技術】
【０００２】
前側のパネル構造、フロア構造および後側のパネル構造を備える繊維強化樹脂製の自動車車体において、前側のパネル構造にフロントガラスを支持する矩形状のフロントガラスフレームを一体に形成したものが、下記特許文献１により公知である。
【先行技術文献】
【特許文献】
【０００３】
【特許文献１】日本特開２００４−３４９７７号公報
【発明の概要】
【発明が解決しようとする課題】
【０００４】
ところで、ＣＦＲＰ（カーボン繊維強化樹脂）でバスタブ状に形成されて少なくともダッシュパネルアッパーを備える下部骨格と、少なくともフロントルーフアーチおよび左右一対のルーフサイドレール（フロントピラーアッパー）を備える上部骨格とを相互に分離可能に構成した場合、上記特許文献１に記載された車体構造のように、フロントガラスフレームを下部骨格と一体に形成すると、フロントガラスフレームの上縁を構成するフロントルーフアーチおよび左右両側縁を構成するルーフサイドレールを一体に備える上部骨格を下部骨格から分離できなくなる問題がある。【０００５】
この問題を回避するために、上部骨格側のルーフサイドレールの下端と、下部骨格側のダッシュパネルアッパーの車幅方向外端とを分離可能に分断すると、その部分でフロントガラスの接着面が途切れてしまい、フロントガラスの支持強度が低下する虞がある。【０００６】
本発明は前述の事情に鑑みてなされたもので、下部骨格および上部骨格を分離可能にしながら、フロントガラスの接着面が全周に亙って途切れないようにすることを目的とする。
【課題を解決するための手段】
【０００７】
上記目的を達成するために、本発明によれば、ＣＦＲＰでバスタブ状に形成されて少なくともダッシュパネルアッパーを備える下部骨格と、少なくともフロントルーフアーチおよび左右一対のルーフサイドレールを備える上部骨格とを相互に分離可能に構成し、前記ダッシュパネルアッパーと、前記左右一対のルーフサイドレールと、前記フロントルーフアーチとに跨がってフロントガラスを支持する矩形状のフロントガラス接着面を形成した自動車車体であって、前記左右一対のルーフサイドレールの下端に車幅方向内側に延びて前記ダッシュパネルアッパーの車幅方向外端に接続する左右一対の延長部を設け、前記左右一対の延長部に前記フロントガラスの一部を支持するフロントガラス接着面を形成したことを第１の特徴とする自動車車体が提案される。【０００８】
また本発明によれば、前記第１の特徴に加えて、前記延長部は、車幅方向に延びる第１部分および前後方向に延びる第２部分を有して前記フロントガラスと平行に配置されるＬ字状の第１壁面と、前記第１壁面の前記第１部分から下向きに延びる第２壁面と、前記第１壁面の前記第２部分から下向きに延びる第３壁面とを備え、前記下部骨格に設けられて前記ルーフサイドレールの前端を支持する金属ジョイントに前記第１壁面および前記第３壁面が固定され、前記第１壁面に前記フロントガラスの一部が支持されることを第２の特徴とする自動車車体が提案される。【０００９】
また本発明によれば、前記第２の特徴に加えて、前記下部骨格はダッシュパネルロアを備え、前記ダッシュパネルアッパーは前記ダッシュパネルロアの上端に接着され、前記延長部は前記ダッシュパネルロアの上端にシール材を介して当接することを第３の特徴とする自動車車体が提案される。【００１０】
また本発明によれば、前記第３の特徴に加えて、前記ダッシュパネルアッパーの車幅方向外端には、下向きに延びる縦壁と、前記縦壁の下端から車幅方向外側に延びる横壁とが形成され、前記延長部は係止爪を介して前記縦壁および前記横壁に係合するとともに、シール材を介して前記縦壁に当接することを第４の特徴とする自動車車体が提案される。【００１１】
また本発明によれば、前記第３または第４の特徴に加えて、前記下部骨格は前記ダッシュパネルロアの後面に固定されたフロントピラーロアを備え、前記金属ジョイントは、前記ダッシュパネルロアの前面に設けられた前部金属ブラケットと、前記フロントピラーロアの後面に設けられた後部金属ブラケットとに跨がってボルトで締結されることを第５の特徴とする自動車車体が提案される。【００１２】
また本発明によれば、前記第１〜第５の何れか１つに記載の自動車車体の製造方法であって、前記下部骨格から前記上部骨格を分離する工程と、分離した前記上部骨格および前記下部骨格にそれぞれ部品を組み付ける工程と、部品を組み付け終えた前記上部骨格および前記下部骨格を再度ボルト結合する工程とを含むことを第６の特徴とする自動車車体の製造方法が提案される。【００１３】
尚、実施の形態の前部金属ジョイント６２は本発明の金属ジョイントに対応し、実施の形態の前部ボルト６５および後部ボルト６７は本発明のボルトに対応する。
【発明の効果】
【００１４】
本発明の第１の特徴によれば、自動車車体は、ＣＦＲＰでバスタブ状に形成されて少なくともダッシュパネルアッパーを備える下部骨格と、少なくともフロントルーフアーチおよび左右一対のルーフサイドレールを備える上部骨格とを相互に分離可能に構成され、ダッシュパネルアッパーと、左右一対のルーフサイドレールと、フロントルーフアーチとに跨がってフロントガラスを支持する矩形状のフロントガラス接着面が形成される。【００１５】
左右一対のルーフサイドレールの下端に車幅方向内側に延びてダッシュパネルアッパーの車幅方向外端に接続する左右一対の延長部を設け、左右一対の延長部にフロントガラスの一部を支持するフロントガラス接着面を形成したので、下部骨格および上部骨格を相互に分離可能に構成しても、フロントガラスの全周を支持可能なフロントガラス接着面を途切れなく形成することができる。【００１６】
また本発明の第２の特徴によれば、延長部は、車幅方向に延びる第１部分および前後方向に延びる第２部分を有してフロントガラスと平行に配置されるＬ字状の第１壁面を備え、第１壁面にフロントガラスの一部が支持されるので、フロントガラスの接着面をルーフサイドレールからダッシュパネルアッパーへと連続させることができる。また延長部は、第１壁面の第１部分から下向きに延びる第２壁面と、第１壁面の第２部分から下向きに延びる第３壁面とを備え、下部骨格に設けられてルーフサイドレールの前端を支持する金属ジョイントに第１壁面および第３壁面が固定されるので、金属ジョイントに延長部を強固に固定してフロントガラスの支持強度を高めることができる。【００１７】
また本発明の第３の特徴によれば、下部骨格はダッシュパネルロアを備え、ダッシュパネルアッパーはダッシュパネルロアの上端に接着され、延長部はダッシュパネルロアの上端にシール材を介して当接するので、エンジンルームとキャビンとの間の防水性を確保することができる。【００１８】
また本発明の第４の特徴によれば、ダッシュパネルアッパーの車幅方向外端には、下向きに延びる縦壁と、縦壁の下端から車幅方向外側に延びる横壁とが形成され、延長部は係止爪を介して縦壁および横壁に係合するとともに、シール材を介して縦壁に当接するので、ダッシュパネルアッパーに対する延長部の位置決めが容易であり、かつエンジンルームとキャビンとの間の防水性を確保することができる。【００１９】
また本発明の第５の特徴によれば、下部骨格はダッシュパネルロアの後面に固定されたフロントピラーロアを備え、金属ジョイントは、ダッシュパネルロアの前面に設けられた前部金属ブラケットと、フロントピラーロアの後面に設けられた後部金属ブラケットとに跨がってボルトで締結されるので、金属ジョイントを下部骨格に強固に固定してルーフサイドレールの前端の支持強度を高めることができる。【００２０】
また本発明の第６の特徴によれば、下部骨格から上部骨格を分離し、分離した上部骨格および下部骨格にそれぞれ部品を組み付け、部品を組み付け終えた上部骨格および下部骨格を再度ボルト結合するので、上部骨格に部品を組み付けるときに下部骨格が邪魔にならず、かつ下部骨格に部品を取り付けるときに上部骨格が邪魔にならないので生産性が向上するだけでなく、上部骨格および下部骨格の結合および分離をボルト結合により容易に行うことができる。
【図面の簡単な説明】
【００２１】
【図１】図１は自動車車体を斜め前方から見た斜視図である。（第１の実施の形態）
【図２】図２は図１の２部拡大図である。（第１の実施の形態）
【図３】図３は図２に対応する分解図である。（第１の実施の形態）
【図４】図４は図３の部分拡大図である。（第１の実施の形態）
【図５】図５は図２の５Ａ−５Ａ線、５Ｂ−５Ｂ線および５Ｃ−５Ｃ線断面図である。（第１の実施の形態）
【図６】図６は図２の６Ａ−６Ａ線および６Ｂ−６Ｂ線断面図である。（第１の実施の形態）
【図７】図７は図２の７−７線断面図である。（第１の実施の形態）
【図８】図８は自動車車体の組み立て工程の説明図である。（第１の実施の形態）
【符号の説明】
【００２２】
１３        フロントピラーロア
１６        ルーフサイドレール
１７        ダッシュパネルロア
２４        延長部
２４ａ      第１壁面
２４ｂ      第２壁面
２４ｃ      第３壁面
２４ｅ      係止爪
２４ｆ      係止爪
２４ｇ      フロントガラス接着面
２５        フロントガラス接着面
２６        シール材
２７        シール材
２８        フロントルーフアーチ
３８        ダッシュパネルアッパー
３８ｂ      縦壁
３８ｃ      横壁
３９        フロントガラス
６２        前部金属ジョイント（金属ジョイント）
６４        前部金属ブラケット
６５        前部ボルト（ボルト）
６６        後部金属ブラケット
６７        後部ボルト（ボルト）
７３        上部骨格
７４        下部骨格
ａ          第１部分
ｂ          第２部分
【発明を実施するための形態】
【００２３】
以下、図１〜図８に基づいて本発明の実施の形態を説明する。尚、本明細書において前後方向、左右方向（車幅方向）および上下方向とは、運転席に着座した乗員を基準として定義される。
【第１の実施の形態】
【００２４】
先ず、図１に示すように、ＣＦＲＰ（カーボン繊維強化樹脂）を主たる材料とする自動車の車体フレームは、車体フロア１１と、車体フロア１１の左右両側部に沿って前後方向に延びる左右一対のサイドシル１２，１２と、左右のサイドシル１２，１２の前端から前上方に起立する左右一対のフロントピラーロア１３，１３と、左右のサイドシル１２，１２の後端から後上方に起立する左右一対のリヤピラー１４，１４と、左右のサイドシル１２，１２の前後方向中間部から上方に起立する左右一対のセンターピラー１５，１５と、左右のフロントピラーロア１３，１３の上端から左右のセンターピラー１５，１５の上端を経由して左右のリヤピラー１４，１４の上端に延びるアルミニウム合金のパイプ材よりなる左右一対のルーフサイドレール１６，１６とを備える。サイドシル１２、フロントピラーロア１３およびリヤピラー１４は一体に形成され、側部部材３０を構成する。
【００２５】
左右のルーフサイドレール１６，１６がフロントルーフアーチ２８とミドルルーフアーチ２９とで接続される。左右のセンターピラー１５，１５の上端とミドルルーフアーチ２９の車幅方向両端とが一体に連続し、正面視で逆Ｕ字状のロールバー３４を構成する。フロントピラーロア１３，１３の上端に接続するルーフサイドレール１６，１６の前部は、フロントピラーアッパーを構成する。そして一体化された左右のルーフサイドレール１６，１６、ロールバー３４およびフロントルーフアーチ２８等は上部骨格７３（図８（Ｄ）参照）を構成する。
【００２６】
車体フロア１１の前端と左右のフロントピラーロア１３，１３の前面とに平板状のダッシュパネルロア１７が接合され、車体フロア１１の後端と左右のリヤピラー１４，１４の後面とに平板状の後部隔壁１８が接合される。一体化された車体フロア１１、ダッシュパネルロア１７、後部隔壁１８および左右の側部部材３０，３０等は下部骨格７４（図８（Ｄ）参照）を構成し、上部骨格７３および下部骨格７４は相互に着脱自在である。車体フロア１１の前端に左右一対のアルミニウム合金の鋳物製の取付台座２０，２０が固定され、取付台座２０，２０の前端に左右一対のアルミニウム合金の鋳物製のフロントサイドフレーム２１，２１の後端が固定される。
【００２７】
ロールバー３４の左右のセンターピラー１５の下端が上部外側ジョイント５１、上部内側ジョイント５２および下部ジョイント５３を介して側部部材３０のサイドシル１２の前後方向中間部にボルト５４…で締結される。従って、ボルト５４…を緩めることでロールバー３４を側部部材３０から分離することができる。
【００２８】
ダッシュパネルロア１７の上端に沿って車幅方向に延びるダッシュパネルアッパー３８が固定されており、上部骨格７３側のフロントルーフアーチ２８および左右一対のフロントサイドフレーム２１，２１の前部（フロントピラーアッパー）と、下部骨格７４側のダッシュパネルアッパー３８とにより構成された矩形枠状の開口部に、フロントガラス３９の外周部が接着される。
【００２９】
次に、図２〜図７に基づいて、ルーフサイドレール１６の前端とダッシュパネルアッパー３８の車幅方向外端との接続部の構造を詳述する。
【００３０】
図２および図３に示すように、ルーフサイドレール１６の前端にアルムニウム合金の鋳物製の前部金属ジョイント６２が溶接される。ダッシュパネルロア１７の前面にアッパーメンバ６３の後端を支持するアルムニウム合金の鋳物製の前部金属ブラケット６４がボルト２２…で固定されており、この前部金属ブラケット６４の上面と、フロントピラーロア１３の上面を覆う蓋部材１３ａの上面とに、前部金属ジョイント６２の前部が前部ボルト６５…で締結される（図６（Ａ）および図７参照）。またフロントピラーロア１３の後面にアルムニウム合金の鋳物製の後部金属ブラケット６６がボルト２３…で固定されており、この後部金属ブラケット６６の上面に前部金属ジョイント６２の後部が後部ボルト６７…で締結される（図６（Ｂ）参照）。
【００３１】
尚、ルーフサイドレール１６の後端にアルムニウム合金の鋳物製の後部金属ジョイント６８（図１参照）が溶接されており、この後部金属ジョイント６８は、リヤピラー１４の上端の後方への延長部１４ａの上壁に図示せぬボルトで着脱自在に締結される。
【００３２】
図２〜図４に示すように、ダッシュパネルアッパー３８は、その後端を下向きに折り曲げた後壁３８ａがダッシュパネルロア１７の上端部前面に接着される。ダッシュパネルアッパー３８の車幅方向端部には、下向きに折り曲げた縦壁３８ｂと、縦壁３８ｂの下端を車幅方向外側に折り曲げた横壁３８ｃとが形成されており、縦壁３８ｂおよび横壁３８ｃにはそれぞれ係止孔３８ｄ，３８ｅが形成される。
【００３３】
ルーフサイドレール１６の下端に溶接された前部金属ジョイント６２をダッシュパネルアッパー３８の車幅方向外端に接続すべく、前部金属ジョイント６２から車幅方向内向きに突出する延長部２４は、車幅方向に延びる第１部分ａおよび前後方向に延びる第２部分ｂを有して前記フロントガラス３９と平行に配置されるＬ字状の第１壁面２４ａと、第１壁面２４ａの第１部分ａの後端から下向きに延びる第２壁面２４ｂと、第１壁面２４ａの第２部分ｂの車幅方向内端から下向きに延びる第３壁面２４ｃと、第１壁面２４ａの第１部分ａの車幅方向内端から下向きに延びる第４壁面２４ｄとを備えており、第１壁面２４ａの第１部分ａの下面から２本の係止爪２４ｅ，２４ｆが下向きに突出する。
【００３４】
延長部２４には、第１壁面２４ａの前縁から車幅方向外側縁にかけて、弧状に湾曲するフロントガラス接着面２４ｇ（図４の斜線部参照）が形成される。またフロントルーフアーチ２８、 左右一対のルーフサイドレール１６，１６の前部およびダッシュパネルアッパー３８には、左右一対の延長部２４，２４のフロントガラス接着面２４ｇ，２４ｇに連続するフロントガラス接着面２５が形成される。このフロントガラス接着面２５は図１に太い鎖線で示され、かつ図２〜図４に斜線を施して示される。そしてフロントガラス３９の外周部が、フロントルーフアーチ２８、 左右一対のルーフサイドレール１６，１６の前部およびダッシュパネルアッパー３８のフロントガラス接着面２５と、左右一対の延長部２４，２４のフロントガラス接着面２４ｇ，２４ｇとに接着Ｇ１（図５（Ｂ）および図５（Ｃ）参照）される。
【００３５】
このように構成された延長部２４は、第１壁面２４ａの第２部分ｂの下面が前部金属ジョイント６２の上面に接着Ｇ２（図３および図７参照）され、第３壁面２４ｃの車幅方向外面が前部金属ジョイント６２の車幅方向内面に接着Ｇ３（図３および図７参照）される。そして上部骨格７３を下部骨格７４に結合するとき、延長部２４の第１壁面２４ａの第１部分ａの下面に突設した２個の係止爪２４ｅ，２４ｆが、ダッシュパネルアッパー３８の２個の係止孔３８ｄ，３８ｅにそれぞれ係合することで（図４および図５（Ａ）参照）、延長部２４がダッシュパネルアッパー３８に位置決めされた状態で結合される。
【００３６】
この状態で、延長部２４の第４壁面２４ｄとダッシュパネルアッパー３８の縦壁３８ｂとの間にシール材２６が配置され（図４および図５（Ｃ）参照）、延長部２４の第２壁面２４ｂの下端とダッシュパネルロア１７の上端を後方に折り曲げたフランジ部１７ａの上面との間にシール材２７が配置される（図４および図５（Ｃ）参照）。
【００３７】
次に、上記構成を備えた本発明の実施の形態の作用を説明する。
【００３８】
上部骨格７３と下部骨格７４とを結合した状態では、上部骨格７３のフロントルーフアーチ２８および左右一対のルーフサイドレール１６，１６の前部（フロントピラーアッパー）と、下部骨格７４のダッシュパネルアッパー３８とにより略矩形のフロントガラス接着面２５（図１参照）が構成される。このとき、上部骨格７３と下部骨格７４とは分離可能であるため、上部骨格７３の左右一対のルーフサイドレール１６，１６の下端と、下部骨格７４のダッシュパネルアッパー３８の車幅方向外端との間に隙間が発生してフロントガラス接着面２５が途切れる問題がある。しかしながら、本実施の形態によれば、上部骨格７３の左右一対のルーフサイドレール１６，１６の下端から車幅方向内向きに左右一対の延長部２４，２４を突設し、これらの延長部２４，２４の車幅方向内端をダッシュパネルアッパー３８の車幅方向外端に接続したので、延長部２４，２４のフロントガラス接着面２４ｇ，２４ｇでフロントガラス接着面２５の途切れを解消し、フロントガラス３９を全周に亙って接着することができる（図２参照）。
【００３９】
また延長部２４は、車幅方向に延びる第１部分ａおよび前後方向に延びる第２部分ｂを有してフロントガラス３９と平行に配置されるＬ字状の第１壁面２４ａを備え、第１壁面２４ａに形成したフロントガラス接着面２４ｇにフロントガラス３９の一部が支持されるので、フロントガラス３９の接着面２５をルーフサイドレール１６からダッシュパネルアッパー３８へと連続させることができる。また延長部２４は、第１壁面２４ａの第１部分ａから下向きに延びる第２壁面２４ｂと、第１壁面２４ａの第２部分ｂから下向きに延びる第３壁面２４ｃとを備え、下部骨格７４に設けられてルーフサイドレール１６の前端を支持する前部金属ジョイント６２に第１壁面２４ａおよび第３壁面２４ｃが接着Ｇ２，Ｇ３されるので（図３参照）、前部金属ジョイント６２に延長部２４を強固に固定してフロントガラス３９の支持強度を高めることができる。
【００４０】
また下部骨格７４はダッシュパネルロア１７を備え、ダッシュパネルアッパー３８はダッシュパネルロア１７の上端に接着され、延長部２４はダッシュパネルロア１７の上端のフランジ部１７ａにシール材２７を介して当接するので（図４および図５（Ｃ）参照）、エンジンルームとキャビンとの間の防水性を確保することができる。更に、ダッシュパネルアッパー３８の車幅方向外端には、下向きに延びる縦壁３８ｂと、縦壁３８ｂの下端から車幅方向外側に延びる横壁３８ｃとが形成され、延長部２４は係止爪２４ｅ，２４ｆを介して縦壁３８ｂおよび横壁３８ｃに係合するとともに（図４および図５（Ａ）参照）、第４壁面２４ｄがシール材２６を介して縦壁３８ｂに当接するので（図４および図５（Ｃ）参照）、ダッシュパネルアッパー３８に対する延長部２４の位置決めが容易であり、かつエンジンルームとキャビンとの間の防水性を確保することができる。
【００４１】
しかも、下部骨格７４はダッシュパネルロア１７の後面に固定されたフロントピラーロア１３を備え、前部金属ジョイント６２は、ダッシュパネルロア１７の前面に設けられた前部金属ブラケット６４と、フロントピラーロア１３の後面に設けられた後部金属ブラケット６６とに跨がって前部ボルト６５…および後部ボルト６７…で締結されるので（図２参照）、前部金属ジョイント６２を下部骨格７４に強固に固定してルーフサイドレール１６の前端の支持強度を高めることができる。
【００４２】
次に、図８に基づいて上記自動車車体の組み立て工程を説明する。
【００４３】
左右一対のルーフサイドレール１６，１６、ロールバー３４およびフロントルーフアーチ２８を一体に結合して上部骨格７３を組み立て、この上部骨格７３に左右一対の側部部材３０，３０を結合してサブコンポーネント７５を組み立てる（図８（Ａ）参照）。上部骨格７３は、ルーフサイドレール１６，１６の前端の前部金属ジョイント６２，６２、ロールバー３４の左右下端の金属ジョイント５１〜５３，５１〜５３およびルーフサイドレール１６，１６の後端の後部金属ジョイント６８，６８において側部部材３０，３０にボルト結合される（図１参照）。
【００４４】
続いて、車体フロア１１、ダッシュパネルロア１７および後部隔壁１８を組み立てたものに、サブコンポーネント７５の側部部材３０，３０を接着することで（図８（Ｂ）参照）、上部骨格７３および下部骨格７４を一体化する（図８（Ｃ）参照）。下部骨格７４は、車体フロア１１、ダッシュパネルロア１７、後部隔壁１８および側部部材３０，３０で構成される。
【００４５】
次に、前記ボルト結合を外して下部骨格７４から上部骨格７３を分離した後（図８（Ｄ）参照）、上部骨格７３にルーフパネル７６等の部品を組み付けるとともに、下部骨格７４にダンパーハウジング７７，７７、フロントサイドフレーム２１，２１、フロントバルクヘッド７８等の部品を組み付ける（図８（Ｅ）参照）。そして部品を組み付けた上部骨格７３および下部骨格７４を再びボルト結合し（図８（Ｆ）参照）、最後にフロントガラス３９等の部品を組み付けることで自動車車体を完成する（図８（Ｇ）参照）。
【００４６】
以上のように、上部骨格７３および下部骨格７４を分離可能にボルト結合したので、上部骨格７３に部品を組み付けるときに下部骨格７４が邪魔にならず、かつ下部骨格７４に部品を取り付けるときに上部骨格７３が邪魔にならないので生産性が向上するだけでなく、上部骨格７３および下部骨格７４の結合および分離をボルト結合により容易に行うことができる。
【００４７】
以上、本発明の実施の形態を説明したが、本発明はその要旨を逸脱しない範囲で種々の設計変更を行うことが可能である。
【００４８】
例えば、延長部２４の形状は実施の形態に限定されるものではない。
【図１】
2016042858.tif 000003
【図２】
2016042858.tif 000004
【図３】
2016042858.tif 000005
【図４】
2016042858.tif 000006
【図５】
2016042858.tif 000007
【図６】
2016042858.tif 000008
【図７】
2016042858.tif 000009
【図８】
2016042858.tif 000010
【国際調査報告】
2016042858.tif 000011
2016042858.tif 000012
2016042858.tif 000013
2016042858.tif 000014